(57)【要約】【課題】従来の鉄筋コンクリート組積造の施工上の問題を解消して、施工期間の短縮、施工品質の向上を図れる新規な鉄筋コンクリート組積造構造とその施工方法を提供する。【解決手段】基礎２の上に組み立てる鉄筋３と、基礎２上の鉄筋３を囲むようにその両側に組み立てるコンクリートブロック版４を主体として構成し、各コンクリートブロック版４の上下面には連結受溝１２を設け、上下のコンクリートブロック版４の各連結受溝１２および両側のコンクリートブロック版４の各連結受溝１２に同時に係合させる複数の係合片１４，１５を両端に備える連結金物１３を介して上下のコンクリートブロック版４同士および両側のコンクリートブロック版４同士を互いに連結する構造とする。【選択図】図１
2011017147.tif 000002
【特許請求の範囲】
【請求項１】
基礎の上に組み立てられる鉄筋と、基礎上の鉄筋を囲むようにその両側に組み立てられるコンクリートブロック版を主体として構成され、各コンクリートブロック版の上下面には連結受溝が設けられ、上下のコンクリートブロック版の各連結受溝および両側のコンクリートブロック版の各連結受溝に同時に係合される複数の係合片を両端に備える連結金物を介して上下のコンクリートブロック版同士および両側のコンクリートブロック版同士が互いに連結される構造であることを特徴とする鉄筋コンクリート組積造。
【請求項２】
コンクリートブロック版の上下面の各連結受溝が長手方向に延在してその両端に開口する構造であることを特徴とする請求項１記載の鉄筋コンクリート組積造。
【請求項３】
コンクリートブロック版のモルタル基材層にシラス材層が予め一体化されていることを特徴とする請求項１又は請求項２に記載の鉄筋コンクリート組積造。
【請求項４】
基礎の上に鉄筋を組み立てるとともに、基礎上の鉄筋を囲む両側位置にコンクリートブロック版を上下に複数段組み立ててその内部空間にモルタルを充填するようにした鉄筋コンクリート組積造の施工方法であって、予めコンクリートブロック版の上下面に連結受溝を設けておき、上下を向く係合片を両端に備える連結金物を用いて、上下のコンクリートブロック版の各連結受溝および両側位置のコンクリートブロック版の各連結受溝に連結金物の各係合片を同時に係合させて、上下のコンクリートブロック版同士および両側位置のコンクリートブロック版同士を互いに連結し、しかる後にその内部空間にモルタルを充填するようにしたことを特徴とする鉄筋コンクリート組積造の施工方法。
【請求項５】
請求項１記載の鉄筋コンクリート組積造に用いられるコンクリートブロック版であって、モルタル基材層とこのモルタル基材に一体化されたシラス材層とから構成されていることを特徴とするコンクリートブロック版。
【請求項６】
シラス材層は、シラス素材層とシラス仕上材層から構成されていることを特徴とする請求項５に記載のコンクリートブロック版。
【請求項７】
シラス素材層が、シラスバルーンを主体とすることを特徴とする請求項６に記載のコンクリートブロック版。
【請求項８】
シラス仕上材層が、乾燥シラス、シラスバルーン、石膏、補強材、着色顔料を組成分に含むことを特徴とする請求項６又は請求項７に記載のコンクリートブロック版。
【請求項９】
型枠内にモルタル基材を流し込み、型枠内のモルタル基材の上にシラス材を流し込み、しかる後、上から加圧してモルタル基材にシラス材を一体化してなることを特徴とする請求項５ないし請求項８のいずれか一項に記載のコンクリートブロック版。
【請求項１０】
請求項１記載の鉄筋コンクリート組積造に用いる連結金物であって、金物本体の両端に、上下を向くとともに、上下のコンクリートブロック版の各連結受溝および両側位置のコンクリートブロック版の各連結受溝に同時に係合される複数の係合片を備えることを特徴とする連結金物。
【発明の詳細な説明】
【技術分野】
【０００１】
本発明は、基礎上に鉄筋を先行して組み立て、後からその両側にコンクリートブロック版を組み立てるようにした鉄筋コンクリート組積造およびその施工方法に関する。
【背景技術】
【０００２】
従来の鉄筋コンクリート組積造は、基礎上に立設する縦筋に対し縦筋を通すようにしてコンクリートブロックを１段ずつ積んでいき、これと並行して縦筋に対し横筋を下から順に組み付けるようにしていた。また、コンクリートブロック内に通す電気配線や給水配管の施工は、コンクリートブロックを積んだり横筋を組み付ける合間にそれらの作業と並行して行っていた。
【０００３】
従来の鉄筋コンクリート組積造の施工では、それぞれの作業が同時並行または混雑して行われるため、ブロック積みを中断して電気配線を行ったり、鉄筋組立てを中断して給水配管を行ったりして、作業がはかどらず、また、場合によっては専門業者以外に作業を委ねざるを得ない場合もあり、施工期間の短縮を図り、施工品質を上げる上で問題があった。また、ブロック積みをしてしまうと、内部の施工状態を目視できないことから、鉄筋、電気配線および給水配管の施工検査が難しく、施工ミスがあっても発見が難しいという問題があった。
【０００４】
一方、近年、自然素材としてシラス素材が注目され、左官壁材に応用したものが提案されている（特許文献１参照）。
【先行技術文献】
【特許文献】
【０００５】
【特許文献１】特開平１１−６２０５３号公報
【発明の概要】
【発明が解決しようとする課題】
【０００６】
しかしながら、特許文献１の提案では、工場でシラス素材をコンクリートブロックに仕上るのは難しいために、施工現場で仕上げるようにしているため、現場の天候や気温に施工品質が左右されるという問題がある。また、鉄筋コンクリート組積造に対して施工する場合には、上に述べた従来の鉄筋コンクリート組積造の施工上の問題が残されている。
【０００７】
本発明は、以上の事情に鑑みてなされたもので、従来の鉄筋コンクリート組積造の施工上の問題を解消して、施工期間の短縮、施工品質の向上を図れる新規な鉄筋コンクリート組積造とその施工方法を提供することを目的とする。また、天候や気温に左右されることなくシラス素材を仕上材等に適用できる鉄筋コンクリート組積造用コンクリートブロック版を提供することを目的とする。
【課題を解決するための手段】
【０００８】
上記課題を解決するために、本発明に係る鉄筋コンクリート組積造は、基礎の上に組み立てる鉄筋と、基礎上の鉄筋を囲むようにその両側に組み立てるコンクリートブロック版を主体として構成し、各コンクリートブロック版の上下面には連結受溝を設け、上下のコンクリートブロック版の各連結受溝および両側のコンクリートブロック版の各連結受溝に同時に係合させる複数の係合片を両端に備える連結金物を介して上下のコンクリートブロック版同士および両側のコンクリートブロック版同士を互いに連結する構造としたことを第１の特徴とする。
【０００９】
本発明に係る鉄筋コンクリート組積造は、コンクリートブロック版の上下面の各連結受溝を長手方向に延在させてその両端に開口する構造としたことを第２の特徴とする。
【００１０】
本発明に係る鉄筋コンクリート組積造は、コンクリートブロック版のモルタル基材層にシラス材層が予め一体化されていることを第３の特徴とする。
【００１１】
本発明に係る鉄筋コンクリート組積造の施工方法は、基礎の上に鉄筋を組み立てるとともに、基礎上の鉄筋を囲む両側位置にコンクリートブロック版を上下に複数段組み立ててその内部空間にモルタルを充填するようにした鉄筋コンクリート組積造の施工方法であって、予めコンクリートブロック版の上下面に連結受溝を設けておき、上下を向く係合片を両端に備える連結金物を用いて、上下のコンクリートブロック版の各連結受溝および両側位置のコンクリートブロック版の各連結受溝に連結金物の各係合片を同時に係合させて、上下のコンクリートブロック版同士および両側位置のコンクリートブロック版同士を互いに連結し、しかる後にその内部空間にモルタルを充填するようにしたことを特徴とする。
【００１２】
本発明に係る鉄筋コンクリート組積造用のコンクリートブロック版は、モルタル基材層とこのモルタル基材層に一体化したシラス材層とから構成したことを第１の特徴とする。
【００１３】
本発明に係る鉄筋コンクリート組積造用のコンクリートブロック版は、シラス材層を、シラス素材層とシラス仕上材層から構成したことを第２の特徴とする。
【００１４】
本発明に係る鉄筋コンクリート組積造用のコンクリートブロック版は、シラス素材層が、シラスバルーンを主体とすることを第３の特徴とする。
【００１５】
本発明に係る鉄筋コンクリート組積造用のコンクリートブロック版は、シラス仕上材層が、乾燥シラス、シラスバルーン、石膏、補強材、着色顔料を組成分に含むことを第４の特徴とする。
【００１６】
本発明に係る鉄筋コンクリート組積造用のコンクリートブロック版は、型枠内にモルタル基材を流し込み、型枠内のモルタル基材の上にシラス材を流し込み、しかる後、上から加圧してモルタル基材にシラス材を一体化して製造されることを特徴とする。
【００１７】
本発明に係る鉄筋コンクリート組積造用の連結金物は、金物本体の両端に、上下を向くとともに、上下のコンクリートブロック版の各連結受溝および両側位置のコンクリートブロック版の各連結受溝に同時に係合される複数の係合片を備えることを特徴とする。
【発明の効果】
【００１８】
以上説明したように、本発明によれば、鉄筋の両側に配置されるコンクリートブロック版同士および上下のコンクリートブロック版同士を同時に連結する連結金物を用いることにより、基礎上に鉄筋を先行して組み立て、後からその両側にコンクリートブロック版を組み立てることができ、鉄筋の組立作業およびコンクリートブロック版の組立作業をそれぞれ効率よく行うことができるので、鉄筋コンクリート組積造の建物の、施工期間の短縮と施工品質の向上を図ることができる。
【００１９】
また、電気配線や給水配管の作業は、コンクリートブロック版の組立作業の前に行えるとともに、コンクリートブロック版の組立作業の前に電気配線等と先組み鉄筋の施工点検を行うことができるので、それらの施工ミスを極力排除することができる。
【００２０】
さらに、本発明によれば、コンクリートブロック版を予めモルタル基材層にシラス材層を一体化させることにより、軽量で、断熱性、耐侯性、通気性、吸放湿性に優れた鉄筋コンクリート組積造の壁構造を実現し、あわせてシラス独特の風合いをもつデザイン性の高い外壁を施工することができる。
【発明を実施するための最良の形態】
【００２１】
本発明を実施するための最良の形態について、図面を参照しながら説明する。図１ないし図６は本発明の一実施形態を示すもので、図１は本発明により施工される途中の鉄筋コンクリート組積造、すなわち建物の壁の施工途中を示している。
【００２２】
本発明により施工される建物の壁（鉄筋コンクリート組積造）１は、図１および図２に示すように、基礎２の上面に縦横に鉄筋３を先行して組み立て、鉄筋３の両側にコンクリートブロック版４を後から組み立てることにより構築される。以下、施工手順を詳述する。
【００２３】
まず、基礎２は、建物の敷地内に敷設した砕石等の上に鉄筋を組んでコンクリートを流し込み、建物の土台とする部分であり、主たる基礎として、建物の外周部分と壁部分にのみ基礎工事が行われる布基礎と、建物の直下の地盤全体に基礎工事が行われるベタ基礎がある。基礎２の上面には、基礎工事の際に組まれた複数の縦筋５が等間隔で立設されており、図１および図２に示すように、この縦筋５に対し横筋６を渡して結束線等により結合する。このようにして鉄筋３を先行して組み立てる。縦筋５に対し横筋６を一度にまとめて組み付けることができるので、鉄筋組立作業を効率よく行えるし、コンクリートブロック版４の組立前にその施工点検を行える。
【００２４】
次に、組み立てた鉄筋３の間に、電気配線用、給水用あるいはガス供給用等の配管７，８を配設する。この配管７，８は、コンクリートブロック版４，４の組立前に配設する。コンクリートブロック版４，４の組立前に電気配線用、給水用、ガス供給用等の配管７，８を配設するので、それらの配設作業を効率よく行えるし、コンクリートブロック版４の組立前にその施工点検を行える。
【００２５】
次に、鉄筋３の両側に位置して基礎２上に外壁用および内壁用のコンクリートブロック版４，４を組み立てていく。このコンクリートブロック版４について説明すると、コンクリートブロック版４は、工場で予め製作される。コンクリートブロック版４は、図３に示すように、モルタル基材層９にシラス素材層１０およびシラス仕上材層１１が一体に積層されており、上部および下部のモルタル基材層９側に肉厚部４Ａが設けられている。そして、コンクリートブロック版４の上下面には長手方向に沿って延びる係合受溝１２が穿設されている。この係合受溝１２には、図４（Ａ）に示す連結金物１３の両端部の上下を向く係合片１４，１５が挿入されるようになっており、コンクリートブロック版４の左右両端に開口している。連結金物１３は、金物本体１６の両端部をそれぞれ二つ割にして、一つを上向きに折り曲げてもう一つを下向きに折り曲げてそれぞれ上下を向く係合片１４，１５としたものである。
【００２６】
基礎２上に外壁用および内壁用のコンクリートブロック版４，４を組み立てるには、まず、図２に示す基礎２上のコンクリートブロック版４の設置位置に対し、ねじ１７を用いて連結金物１３’を取り付ける。この連結金物１３’は、図４（Ｂ）に示すように、金物本体１６の両端部に上向きの係合片１４’，１４’が設けられるとともに、中央にねじ孔１６Ａが設けられており、基礎２上のコンクリートブロック版４の設置位置に対しねじ１７で取り付ける。連結金物１３および連結金物１３’は、１枚のコンクリートブロック版４に対し少なくとも１つ、望ましくは２つ以上使用する。
【００２７】
基礎２上に連結金物１３’を取り付けたら、基礎１上に外壁用および内壁用の最下層のコンクリートブロック版４，４を設置する。この場合、基礎２の設置面およびコンクリートブロック版４，４の下面の係合受溝１２には漏水防止用および接着用にモルタル（樹脂モルタル）１８を充填する。モルタル１８の充填によってコンクリートブロック版４，４を基礎２上に接着しかつ隙間からの室内への漏水を防止できる。基礎２上に外壁用および内壁用の最下層のコンクリートブロック版４，４を設置する際に、既設の連結金物１３’の上向きの係合片１４’，１４’に対し同コンクリートブロック版４，４の下面の係合受溝１２，１２を合わせる。これにより、基礎２上の所定位置に外壁用および内壁用の最下層のコンクリートブロック版４，４を位置ずれを生じることなく設置できる。
【００２８】
次に、最下層のコンクリートブロック版４，４の上に、連結金物１３を用いて上層のコンクリートブロック版４，４を組み立てる。まず、連結金物１３を最下層のコンクリートブロック版４，４の上面間に跨るようにセットする。連結金物１３はその両端部の下向きの係合片１５，１５をコンクリートブロック版４，４上面の係合受溝１２，１２に挿入する。係合受溝１２はコンクリートブロック版４の上面の左右両端まで延びているので、複数の連結金物１３のセット間隔を適宜調整可能である。コンクリートブロック版４，４は連結金物１３に支えられて立設状態が固定される。
【００２９】
次に、下から２番目のコンクリートブロック版４，４を、最下層のコンクリートブロック版４，４の上面に組み立てる。このときも、下面の係合受溝１２，１２を既設の連結金物１３の上向きの係合片１４，１４に合わせる。また、最下層のコンクリートブロック版４，４の上面および係合受溝１２，１２には漏水防止用および接着用のモルタル（樹脂モルタル）１８を充填する。
【００３０】
このようにして、連結金物１３を用いて、最上層のコンクリートブロック版４，４に至るまで組み立てを終えたら、上方からコンクリートブロック版４，４間の内部空間Ｓに充填用のモルタル（図示せず）を充填し、緻密な壁構造とする。このとき、各層のコンクリートブロック版４，４どうしは、連結金物１３によって、上下間および両側間で連結固定されているので、モルタルの充填時に組立構造が強固に保持され、安心してモルタルを内部空間Ｓに充填することができる。
【００３１】
本実施形態によれば、コンクリートブロック版４，４を用いることにより、その間隔を調整することで、壁体の壁厚寸法を自由に設定することができる。この場合、連結金物１３，１３’の長さも、壁１の壁厚寸法に合わせて複数種類用意することができる。
【００３２】
コンクリートブロック版４は、モルタル基材層９にシラス素材層１０およびシラス仕上材層１１が予め一体化されているので、シラス成分の持つ各種性能を発揮させることができる。シラス素材層１０は、多数のシラスバルーンを主体とし、断熱性、通気性、吸放湿性に優れ、軽量化を発揮できる。シラス仕上材層１１は、平均粒径２．５ｍｍ以下の乾燥シラスに、石膏、藁スサ類または麻類等の補強材、着色顔料を混合したもので、上記性能の他、耐侯性に優れ、独特の風合いをもち外面の意匠的にも優れる。
【００３３】
コンクリートブロック版４に、シラス素材層１０およびシラス仕上材層１１を用いることにより、コンクリートブロック版４の軽量化が図られ、これによりコンクリートブロック構造としての壁の軽量化が図られるとともに、断熱性、耐侯性、通気性、吸放湿性に優れ、また、建物の外観を自然素材のシラスが持つ独特の風合いのあるデザインとすることができる。
【００３４】
コンクリートブロック版４の製造方法について詳述すると、工場において、図５に示すように、型枠１９内に、型２０をセットし、その上にモルタル基材２１を流し込む。モルタル基材２１は、セメント１に対し、砂１〜３、細骨材１〜３、水０．５〜１の割合で混合する。型枠１９内のモルタル基材１２（モルタル基材層９）の上に強度を向上させるためのラス網を敷き、その上にシラス素材としてシラスバルーン２２を敷き込む。さらに、シラスバルーンが固化しないうちに、シラスバルーン２２（シラス素材層１０）の上にシラス仕上材２３を流し込む。シラス仕上材２３は、平均粒径２．５ｍｍ以下の乾燥シラス１００重量％に、石膏、藁スサ類または麻類等の補強材２０〜５０重量％、着色顔料１０〜５０重量％、必要に応じて結合材としてセメント１０〜４０重量％、水１０〜４０重量％を混合する。
【００３５】
上記のようにして、型枠１９内の型２０上に、モルタル基材２１、シラスバルーン２２、シラス仕上材２３を順次流し込んだら、シラス仕上材２３の上に加圧板２４をセットして、その上から所定の加圧力Ｐ（約５〜１０ＭＰａ）でプレス成形し、一定時間（約３〜８時間）プレス状態を維持し、その後、加圧力Ｐを開放して、一定時間（約１０〜２４時間）養生する。コンクリートブロック版４にシラス材を予め一体成形するから、現場施工でシラス材を仕上げる場合に比較して天候や気温に左右されず施工品質を安定させることができる。
【００３６】
図６は、建物Ｔの壁１，１同士の接合部における拡大平面図である。図に示すように基礎上に縦筋５および横筋６からなる鉄筋３を先行して組立て、その後に内壁用のコンクリートブロック版４と外壁用のコンクリートブロック版４’を連結金物１３を用いて組み立てた後、上からモルタルを充填して一体な鉄筋コンクリート組積造構造の壁を施工することができる。
【００３７】
図７は、建物Ｔの出隅部における拡大平面図である。図に示すように、出隅部における外壁用のコンクリートブロック版４’の端部をテーパー形状とし、テーパー部同士を互いに突き合わせて出隅部を施工するようにした例である。
【００３８】
以上詳細に説明してきたように、本発明によると、鉄筋３の両側に配置されるコンクリートブロック版４，４同士および上下のコンクリートブロック版４，４同士を同時に連結する連結金物１３を用いることにより、基礎２上に鉄筋３を先行して組み立て、後からその両側にコンクリートブロック版４を組み立てることができ、鉄筋３の組立作業およびコンクリートブロック版４の組立作業をそれぞれ効率よく行うことができるので、鉄筋コンクリート組積造構造の建物の施工期間の短縮と施工品質の向上を図ることができる。
【００３９】
また、電気配線や給水配管の作業は、コンクリートブロック版４の組立作業の前に行えるとともに、コンクリートブロック版４の組立作業の前に電気配線等と先組み鉄筋の施工点検を行うことができるので、それらの施工ミスを極力排除することができる。
【００４０】
さらに、コンクリートブロック版４を予めモルタル基材層９にシラス素材層１０とシラス仕上層１１をプレス成形により一体化させることにより、軽量で、断熱性、耐侯性、通気性、吸放湿性に優れた鉄筋コンクリート組積造の壁構造を実現することができる。
【産業上の利用可能性】
【００４１】
本発明に係る鉄筋コンクリート組積造構造は、基礎上に鉄筋を先行して組み立て、後からその両側にコンクリートブロック版を組み立てるようにした鉄筋コンクリート組積造構造として、利用可能である。
【図面の簡単な説明】
【００４２】
【図１】本発明の鉄筋コンクリート組積造構造による壁の施工途中を示す斜視図、
【図２】図１に示す壁と基礎を示す断面図、
【図３】図１に示す壁の施工に用いられるコンクリートブロック版の斜視図、
【図４】（Ａ）（Ｂ）は図１に示す壁の施工に用いられる連結金物の斜視図、
【図５】（Ａ）は図１に示すコンクリートブロック版の製作方法を示す断面図、（Ｂ）はそのＡ−Ａ線矢視断面図、
【図６】建物の壁同士の接合部における拡大平面図、
【図７】建物の出隅部における拡大平面図である。
【符号の説明】
【００４３】
１  壁（鉄筋コンクリート組積造構造）
２  基礎
３  鉄筋
４，４’  コンクリートブロック版
５  縦筋
６  横筋
７，８  配管
９  モルタル基材層
１０  シラス素材層
１１  シラス仕上層
１２  係合受溝
１３，１３’  連結金物
１４，１４’，１５  係合片
１６  金物本体
１６Ａ  ねじ孔
１７  ねじ
１８  モルタル
１９  型枠
２０  型
２１  モルタル基材
２２  シラスバルーン（シラス素材）
２３  シラス仕上材
Ｓ  内部空間
Ｔ  建物
【図１】
2011017147.tif 000003
【図２】
2011017147.tif 000004
【図３】
2011017147.tif 000005
【図４】
2011017147.tif 000006
【図５】
2011017147.tif 000007
【図６】
2011017147.tif 000008
【図７】
2011017147.tif 000009